【手続補正書】
【提出日】令和3年5月30日(2021.5.30)
【手続補正１】
【補正対象書類名】特許請求の範囲
【補正対象項目名】全文
【補正方法】変更
【補正の内容】
【特許請求の範囲】
【請求項１】
センターシャフト（２２）と、
該センターシャフトの先端部に配設し板金面に溶着可能なビット（２５）を備えた第１の操作手段（２０）と、
該第１の操作手段を引き上げる第２の操作手段（３０）と、
前記ビットに通電する通電機構（１００）と、
前記第２の操作手段を支承する脚体（１３０）を具備してなる板金用引出し具であって、
照光ユニット（７０）を収容するハウジング（１０）と、
該ハウジングに収容され板金面を照光する前記照光ユニットを備えていることを特徴とする板金用引出し具。
【請求項２】
前記ハウジングが、
前記通電機構を収容する空所（１０Ａ）と、
前記照光ユニットを構成する光源用電源（８０）を収容する電源収容部（１７）を備えていることを特徴とする請求項１に記載の板金用引出し具。
【請求項３】
前記照光ユニットが、
前記ハウジングに内蔵された光源（７４）と、
該光源に電力を供給する前記光源用電源と、
前記光源より供給される光を拡散する光拡散板（９０）を備え、
前記光源がプリント基板（７２）に固定され、
該プリント基板と前記光拡散板を離隔対応して配設していることを特徴とする請求項１に記載の板金用引出し具。
【請求項４】
前記照光ユニットが、
前記ハウジングに内蔵された光源（７４）と、
該光源に電力を供給する前記光源用電源と、
前記光源より供給される光を拡散する光拡散板（９０）を備え、
前記光源がプリント基板（７２）に固定され、
該プリント基板と前記光拡散板を離隔対応して配設していることを特徴とする請求項２に記載の板金用引出し具。
【請求項５】
センターシャフト（２２）と、
該センターシャフトの先端部に配設し板金面に溶着可能なビット（２５）を備えた第１の操作手段（２０）と、
該第１の操作手段を引き上げる第２の操作手段（３０）と、
前記ビットに通電する通電機構（１００）と、
前記第２の操作手段を支承する脚体（１３０）を具備してなる板金用引出し具であって、
照光ユニット（７０）を収容するハウジング（１０）と、
該ハウジングに収容され板金面を照光する前記照光ユニットを備え、
前記ハウジングが、
前記通電機構を収容する空所（１０Ａ）と、
前記照光ユニットを構成する光源用電源（８０）を収容する電源収容部（１７）を備え、
前記照光ユニットが、
前記ハウジングに内蔵された光源（７４）と、
該光源に電力を供給する前記光源用電源と、
前記光源より供給される光を拡散する光拡散板（９０）を備え、
前記光源がプリント基板（７２）に固定され、
該プリント基板と前記光拡散板を離隔対応して配設し、
前記光源より供給される光を前記光拡散板を透過させて得られる拡散光とし、該拡散光を前記ビット近傍の限定領域を照射する拡散光として供給可能とすることを特徴とする板金用引出し具。
【請求項６】
センターシャフト（２２）と、
該センターシャフトの先端部に配設し板金面に溶着可能なビット（２５）を備えた第１の操作手段（２０）と、
該第１の操作手段を引き上げる第２の操作手段（３０）と、
前記第１の操作手段を支持する支持部材（６０）と、
前記ビットに通電する通電機構（１００）と、
前記第２の操作手段を支承する脚体（１３０）を具備してなる板金用引出し具であって、
照光ユニット（７０）を収容するハウジング（１０）と、
該ハウジングに収容され板金面を照光する前記照光ユニットを備え、
前記ハウジングが、
前記通電機構を収容する空所（１０Ａ）と、
前記照光ユニットを構成する光源用電源（８０）を収容する電源収容部（１７）を備え、
前記照光ユニットが、
前記ハウジングに内蔵された光源（７４）と、
該光源に電力を供給する前記光源用電源と、
前記光源より供給される光を拡散する光拡散板（９０）を備え、
前記光源がプリント基板（７２）に固定され、
該プリント基板と前記光拡散板を離隔対応して配設し、
前記光源より供給される光を前記光拡散板を透過させて得られる拡散光とし、該拡散光を前記ビット近傍の限定領域において印影が生じない拡散光として供給可能とすることを特徴とする板金用引出し具。
【請求項７】
センターシャフト（２２）と、
該センターシャフトの先端部に配設し板金面に溶着可能なビット（２５）を備えた第１の操作手段（２０）と、
該第１の操作手段を引き上げる第２の操作手段（３０）と、
前記第１の操作手段を支持する支持部材（６０）と、
前記ビットに通電する通電機構（１００）と、
前記第２の操作手段を支承する脚体（１３０）と、
前記通電機構に電気を供給する電源コード（３）を具備してなる板金用引出し具であって、
照光ユニット（７０）を収容するハウジング（１０）と、
該ハウジングに収容され板金面を照光する前記照光ユニットを備え、
前記ハウジングが、
前記通電機構を収容する空所（１０Ａ）と、
前記照光ユニットを構成する光源用電源（８０）を収容する電源収容部（１７）を備え、
前記照光ユニットが、
前記ハウジングに内蔵された光源（７４）と、
該光源に電力を供給する前記光源用電源と、
前記光源より供給される光を拡散する光拡散板（９０）を備え、
前記光源がプリント基板（７２）に固定され、
該プリント基板と前記光拡散板を離隔対応して配設し、
前記光源より供給される光を前記光拡散板を透過させて得られる拡散光とし、該拡散光を前記ビット近傍の板金面に照射可能とし、前記拡散光を前記ビット近傍の限定小領域において、前記センターシャフトと前記ビットによる印影が生じない拡散光として供給可能とすることを特徴とする板金用引出し具。
【請求項８】
前記ハウジングに隔壁（１０Ｃ、１０Ｄ）が形成され、該隔壁により、前記空所と前記電源収容部が仕切られていることを特徴とする請求項１乃至７のいずれか一項に記載の板金用引出し具。
【請求項９】
前記電源収容部が、前記光源用電源の挿脱を可能とする開口部（１７Ａ）を有し、該開口部がカバーメンバ（１８）により塞がれることを特徴とする請求項８に記載の板金用引出し具。
【請求項１０】
前記第２の操作手段の基端部が前記ハウジングの前記空所に収容されていることを特徴とする請求項９に記載の板金用引出し具。
【請求項１１】
前記光源がＬＥＤ光源により構成され、該ＬＥＤ光源が前記ハウジング内に配設された前記プリント基板に固定され、かつ、前記ＬＥＤ光源が前記プリント基板に複数個等間隔に配設したＬＥＤ光源群として構成されていることを特徴とする請求項１０に記載の板金用引出し具。
【請求項１２】
前記照光ユニットが、照度調整用ボリューム部（７８）を備え、該照度調整用ボリューム部により前記ＬＥＤ光源の光量の調整が可能に形成されていることを特徴とする請求項１１に記載の板金用引出し具。
【請求項１３】
前記ハウジングが、前記脚体に支承された前記第２の操作手段に支持されていることを特徴とする請求項１２に記載の板金用引出し具。
【請求項１４】
前記ハウジングは、前記通電部本体を収容する前記空所と、前記センターシャフトが挿通する第１の挿通孔（１１）と、前記ハウジングを支持する支持用ねじ（６９）が挿通する第２の挿通孔（１２）と、前記第２の操作手段を構成するセコンドレバー（５０）を支持する支持軸（５８）が挿通する第３の挿通孔（１４）と、前記照度調整ボリューム部の一端を露出させる貫通孔（１５）と、前記電源収容部と、前記光拡散板を収める下向き段部（１９）を備えていることを特徴とする請求項１３に記載の板金用引出し具。
【請求項１５】
前記第２の操作手段が、左右に延出された一対の腕杆（４３Ａ，４３Ｂ）を備え、該腕杆と前記通電機構の通電部本体（１０１）とが一体的に形成され、前記腕杆が前記脚体に支承され、前記通電部本体を前記ハウジングの前記空所に収めた状態で、前記ハウジングに形成された前記第２の挿通孔に挿通した前記支持用ねじの先端が前記通電部本体に形成されたねじ孔（１０４）に螺合し、この状態で、前記支持用ねじの他端が前記第２の挿通孔内に留まり、前記ハウジングが前記通電部本体に支持されていることを特徴とする請求項１４に記載の板金用引出し具。
【手続補正２】
【補正対象書類名】明細書
【補正対象項目名】全文
【補正方法】変更
【補正の内容】
【発明の詳細な説明】
【発明の名称】板金用引出し具
【発明の詳細な説明】
【技術分野】
【０００１】本発明は、板金時に板金面の凹部を引き出す板金用引出し具に関するものである。
【背景技術】
【０００２】従来、板金時に板金面の凹部を引き出す板金用引出し具として、板金面に溶着するビット先端に細やかな力を加えながら引き出し作業を行なう板金用引出し具（特許文献１）が本願発明者により提案されている。
【先行技術文献】
【特許文献】
【０００３】
【特許文献１】特許第５７１６８８９号公報
【発明の説明】
【発明が解決しようとする課題】
【０００４】特許文献１に示す板金用引出し具は、センターシャフトと、センターシャフトの先端部に配設し板金面に溶着可能なビットを備えた第１の操作手段と、第１の操作手段を引き上げる第２の操作手段と、第１の操作手段を支持する支持部材と、ビットに通電する通電機構と、第２の操作手段を支承する脚体と、通電機構に電気を供給する電源コードを具備し、電源コードの他端側を溶接機に接続して使用するものであり、ビットに通電し、このビット先端を板金修正面に溶着して板金修正面の凹部の引き上げ、さらに凹部の引き上げ後にビットの溶着の解除、という一連の板金作業を行なことを可能としている。
【０００５】ところで、板金用引出し具を使用する板金作業場には、ごみ、金属粉塵、土埃等が少なからず存在しているため、（１）ビットに通電する通電機構に、ごみ、金属粉麈、土埃が混入・付着しないこと、（２）電気系統に接触不良等のトラブルが発生しないことが求められる。
【０００６】また、板金作業の作業場は一般に十分な明かりが保証されていないことが多く、暗い作業場においても板金作業を効率よく短時間で行なうことを可能とするために、少なくとも、（１）板金作業時に十分に明るさが保証されていること、（２）作業者が目視にて板金面の凹凸を明瞭に把握できること、が作業環境上望まれる。
【０００７】この点、特許文献１に示す板金用引出し具にあっては、ビットに通電する通電機構の電気系統の保護が必ずしも十分ではなく、さらに、板金引出し具自体が板金面を照光する手段を具備していないため、（１）ビットに通電する通電機構の電気系統に、ごみ、金属粉塵、土埃が混入・付着して電気系統のトラブル（例えば、通電機構に形成された第１の貫通孔よりごみ、金属粉塵、土埃が混入し、第１の貫通孔に挿通されるセンターシャフトと通電機構の構成メンバーである通電チップとの当接部に、ごみ、金属粉塵、土埃が付着して生起される接触不良）を惹起する、（２）作業場が暗いと板金面の凹凸が見えにくく板金作業を効率よく行なうことができない、（３）外部に照光手段を設けて、例えば、斜め前方より板金面を照光してもセンターシャフトやビットによる陰影が板金面に生じ易く（例えば、図２３参照）、特に、陰影が板金面の凹凸と重なる場合には板金面の小さな起伏が見えにくくなり板金を円滑に行うことが難しくなって板金作業に悪影響を及ぼす（例えば、図２４参照）等のおそれがある。
【発明の概要】
【０００８】従って本発明の目的は、電気系統に、ごみ、金属粉塵、土埃等が混入・付着することを遮断し、電気系統にトラブルが発生すること回避して、故障が少なく耐久性に優れ、しかも使い勝手のよい板金用引出し具を提供することにある
【０００９】本発明の他の目的は、板金作業時に十分な明るさが保証され、板金を必要とするビット近傍の板金面の起伏を明瞭に見ることができ、作業場が暗い場合でも板金を必要とする凹凸箇所を照光しながら板金作業を効率よく行なうことができる板金用引出し具を提供することにある。
【００１０】本発明のもう一つ他の目的は、板金面を照光しても、センターシャフトやビットによる陰影が板金箇所に生じることが回避され、板金作業を行なう際に十分な明るさが保証され、溶着ビットの近傍を陰影がない状態で照光しながら板金作業を行なえる板金用引出し具を提供することにある。
【００１１】本発明のさらにもう一つ他目的は、照光部材をハウジングに集約してコンパクトな照光ユニットを構成し、光量を自由に調節でき板金を必要とする箇所を的確に照射できる板金用引出し具を提供することにある。
【発明の効果】
【００１２】本発明によれば、次の効果を奏する。
（１）ハウジングに、空所（第１スペース）と、空所と隔壁により仕切られた電源収容空間（第２スペース）を形成し、第１スペースに通電機構の通電部本体を収容し、他方、第２スペースに光源用電源を収容して、電気系統に、ごみ、金属粉麈、土埃が混入・付着することを遮断し、電気系統にトラブルが発生することを回避して、故障が少なく耐久性にすぐれ、しかも使い勝手のよい板金用引出し具が得られる。
（２）板金作業時に十分な明るさが保証され、板金を必要とするビット近傍の板金面の起伏を明瞭に把握することができ、作業場が暗い場合でも板金を必要とする板金箇所を照光して板金作業を効率よく行なうことができる板金用引出し具が得られる。
（３）板金面を照光しても、センターシャフトやビットによる陰影が板金箇所に生じることを回避でき、板金作業を行なう際に十分な明るさが保障され、溶着ビットの近傍を陰影がない状態で照光して板金作業を行なうことができる板金用引出し具が得られる。
（４）照光ユニットを構成する照光部材をハウジングに集約してコンパクトな構成に形成でき、光量を自由に調節して板金を必要とする箇所を的確に照射できる板金用引出し具が得られる。
【図面の簡単な説明】
【００１３】
【図１】本発明に係る板金用引出し具の斜視図であり、第１の操作手段を構成するハンドルを握る左手と第２の操作手段を握る右手を仮想線（一点鎖線）で示した斜視図である。
【図２】図１に示す板金用引出し具の背面を底面側から見上げた斜視図である。
【図３】図１に示す板金用引出し具の背面図である。
【図４】図１に示す板金用引出し具の右側面図である。
【図５】図１に示す板金用引出し具の底面図である。
【図６】図３のＸ−Ｘ断面図に通電時の電流の流れを入れた図である。
【図７】図１に示す板金用引出し具の本体と脚体を分離した状態の斜視図である。
【図８】図１に示す板金用引出し具の本体の構成部品を示す分解斜視図である。
【図９】図１に示す板金用引出し具の光拡散板を取り外した状態の底面図である。
【図１０】ＬＥＤ光源等を埋め込んだプリント基板の表面図である。
【図１１】ＬＥＤ光源等を埋め込んだプリント基板の裏面図である。
【図１２】図１０の右側面図である。
【図１３】ＬＥＤ光源等への配線を示す略図である。
【図１４】照光ユニットを構成しＬＥＤ光源を備えた照光部の回路図である。
【図１５】光拡散板の表面図である。
【図１６】光拡散板の裏面図である。
【図１７】図１５の右側面図である。
【図１８】通電機構を組み込んだ板金用引出し具の要部を示す斜視図である。
【図１９】通電機構を組み込んだ板金用引出し具の要部を示し、通電機構の構成部品を分解して示す分解斜視図である。
【図２０】図１８のＹ−Ｙ断面拡大略図である。
【図２１】図１に示す板金用引出し具の照光ユニットを点灯させた状態を示す斜視図である。
【図２２】図１に示す板金用引出し具の照光ユニットを点灯させた状態を示し、センターシャフトやビットによる陰影が板金箇所に生じていない状態を示す板金面の要部斜視図である。
【図２３】図１に示す板金用引出し具から光拡散板を取り外し、照光ユニットを点灯させている状態を示し、センターシャフトやビットによる陰影が板金箇所に生じている状態を示す板金面の要部斜視図である。
【図２４】図１に示す板金用引出し具から光拡散板を取り外し、照光ユニットを点灯させている状態を示し、センターシャフトやビットによる陰影が板金面の凹凸と重なり板金を必要とする面の起伏が見えにくくなっている状態を示す板金面の要部斜視図である。
【図２５】図１に示す板金用引出し具の使用状態を示す斜視図である。
【発明を実施するための形態】
【００１４】本発明に係る板金用引出し具は、センターシャフトと、
該センターシャフトの先端部に配設し板金面に溶着可能なビットを備えた第１の操作手段と、
該第１の操作手段を引き上げる第２の操作手段と、
前記ビットに通電する通電機構と、
前記第２の操作手段を支承する脚体を具備してなる板金用引出し具であって、
照光ユニットを収容するハウジングと、
該ハウジングに収容され板金面を照光する前記照光ユニットを備えた板金用引出し具である。
【００１５】前記ハウジングは、
前記通電機構を収容する空所と、
前記照光ユニットを構成する光源用電源を収容する電源収容部を備えていることが好適である。
【００１６】該照光ユニットは、
前記ハウジングに内蔵された光源と、
該光源に電力を供給する前記光源用電源と、
前記光源より供給される光を拡散する光拡散板を備え、
前記光源をプリント基板に固定し、
該プリント基板と前記光拡散板を離隔対応して配設することが好適である。
【００１７】本発明に係る板金用引出し具は、センターシャフトと、
該センターシャフトの先端部に配設し板金面に溶着可能なビットを備えた第１の操作手段と、
該第１の操作手段を引き上げる第２の操作手段と、
前記ビットに通電する通電機構と、
前記第２の操作手段を支承する脚体を具備してなる板金用引出し具であって、
照光ユニットを収容するハウジングと、
該ハウジングに収容され板金面を照光する前記照光ユニットを備え、
前記ハウジングが、
前記通電機構を収容する空所と、
前記照光ユニットを構成する光源用電源を収容する電源収容部を備え、
前記照光ユニットが、
前記ハウジングに内蔵された光源と、
該光源に電力を供給する前記光源用電源と、
前記光源より供給される光を拡散する光拡散板を備え、
前記光源をプリント基板に固定し、
該プリント基板と前記光拡散板を離隔対応して配設し、
前記光源より供給される光を前記光拡散板を透過（通過）させて得られる拡散光とし、該拡散光を前記ビット近傍の限定領域を照射する拡散光として供給可能とする板金用引出し具とすることもできる。
【００１８】また、本発明に係る板金用引出し具は、センターシャフトと、
該センターシャフトの先端部に配設し板金面に溶着可能なビットを備えた第１の操作手段と、
該第１の操作手段を引き上げる第２の操作手段と、
前記第１の操作手段を支持する支持部材と、
前記ビットに通電する通電機構と、
前記第２の操作手段を支承する脚体を具備してなる板金用引出し具であって、
照光ユニットを収容するハウジングと、
該ハウジングに収容され板金面を照光する前記照光ユニットを備え、
前記ハウジングが、
前記通電機構を収容する空所と、
前記照光ユニットを構成する光源用電源を収容する電源収容部を備え、
前記照光ユニットが、
前記ハウジングに内蔵された光源と、
該光源に電力を供給する前記光源用電源と、
前記光源より供給される光を拡散する光拡散板を備え、
前記光源をプリント基板に固定し、
該プリント基板と前記光拡散板を離隔対応して配設し、
前記光源より供給される光を前記光拡散板を透過させて得られる拡散光とし、該拡散光を前記ビット近傍の限定領域において印影が生じない拡散光として供給可能とする板金用引出し具とすることもできる。
【００１９】さらにまた、本発明に係る板金用引出し具は、センターシャフトと、
該センターシャフトの先端部に配設し板金面に溶着可能なビットを備えた第１の操作手段と、
該第１の操作手段を引き上げる第２の操作手段と、
前記第１の操作手段を支持する支持部材と、
前記ビットに通電する通電機構と、
該第２の操作手段を支承する脚体と、
前記通電機構に電気を供給する電源コードを具備してなる板金用引出し具であって、
照光ユニットを収容するハウジングと、
該ハウジングに収容され板金面を照光する前記照光ユニットを備え、
前記ハウジングが、
前記通電機構を収容する空所と、
前記照光ユニットを構成する光源用電源を収容する電源収容部を備え、
前記照光ユニットが、
前記ハウジングに内蔵された光源と、
該光源に電力を供給する前記光源用電源と、
前記光源より供給される光を拡散する光拡散板を備え、
前記光源をプリント基板に固定し、
該プリント基板と前記光拡散板を離隔対応して配設し、
前記光源より供給される光を前記光拡散板を透過させて得られる拡散光とし、該拡散光を前記ビット近傍の板金面に照射可能とし、前記拡散光を前記ビット近傍の限定小領域において前記センターシャフトと前記ビットによる陰影が生じない拡散光として供給可能とする板金用引出し具とすることもできる。
【００２０】前記ハウジングに隔壁を形成し、該隔壁により、前記空所と前記電源収容部を仕切るようにするとよい。
【００２１】前記電源収容部は、前記光源用電源の挿脱を可能とする開口部を有し、該開口部がカバーメンバにより塞がれるように形成することができる。
【００２２】前記第２の操作手段の基端部は前記ハウジングの前記空所に収容することが好ましい。
【００２３】前記光源をＬＥＤ光源により構成し、該ＬＥＤ光源を前記ハウジング内に配設された前記プリント基板に固定し、かつ、前記ＬＥＤ光源を前記プリント基板に複数個等間隔に配設したＬＥＤ光源群として構成するとよい。
【００２４】前記照光ユニットは、照度調整用ボリューム部を備え、該照度調整用ボリューム部により前記ＬＥＤ光源の光量の調整を可能に形成するとよい。
【００２５】前記ハウジングが、前記脚体に支承された前記第２の操作手段に支持されることが好適である
【００２６】前記ハウジングは、前記通電部本体を収容する前記空所と、前記センターシャフトが挿通する第１の挿通孔と、前記ハウジングを支持する支持用ねじが挿通する第２の挿通孔と、前記第２の操作手段を構成するセコンドレバーを支持する支持軸が挿通する第３の挿通孔と、前記照度調整ボリューム部の一端を露出させる貫通孔と、前記電源収容部と、前記光拡散板を収める下向き段部を備えるように形成できる。
【００２７】前記第２の操作手段は、左右に延出された一対の腕杆を備え、該腕杆と前記通電部本体とは一体的に形成され、前記腕杆は前記脚体に支承され、前記通電部本体を前記ハウジングの前記空所に収めた状態で、前記ハウジングに形成された前記第２の挿通孔に挿通した前記支持用ねじの先端が前記通電部本体に形成されたねじ孔に螺合し、この状態で、前記支持用ねじの他端が前記第２の挿通孔内に留まり、前記ハウジングが前記通電部本体に支持されるように形成できる。
【実施例】
【００２８】以下に、本発明に係る実施例について、ハウジングに通電機構の通電部本体を収容し、照光ユニットをハウジングに組み込んで構成した板金用引出し具とともに、図面を参照して説明する。ここでは、光源としてＬＥＤ（Ｌｉｇｈｔ  Ｅｍｉｔｔｉｎｇ  Ｄｉｏｄｅ）光源を、光源用電源として充電式の電池（バッテリー）を用いた例を示す。【００２９】  ［照光ユニット７０］
図１乃至図１７において、照光ユニット７０は、板金面を照光しハウジング１０に収容される。【００３０】前記照光ユニット７０は、照光部本体７１と光拡散板９０を備えている。このうち、前記照光部本体７１は、前記ハウジング１０に内蔵されたＬＥＤ光源７４と、該ＬＥＤ光源に電力を供給する電池８０を備えている。前記ＬＥＤ光源を固定したプリント基板７２と前記光拡散板９０は離隔対応して前記ハウジング内に配設されている。【００３１】前記照光ユニット７０は、照度調整用ボリューム部７８を備え、該照度調整用ボリューム部により前記ＬＥＤ光源７４の光量の調整が可能である。【００３２】前記ＬＥＤ光源７４は、６つのＬＥＤ光源により構成され、該ＬＥＤ光源は並列に接続され、前記ハウジング内に配設された前記プリント基板７２の円周方向に等間隔に配設されている（図１１、図１４参照）。かくして、前記ＬＥＤ光源７４は、ＬＥＤ光源群を構成している。符号７０Ａは２本のリード線（電源線）、７０Ｂは３本のリード線（ボリューム線）である（図１３参照）。このうち、前記リード線７０Ａは、一端は前記プリント基板７２に接続され、他端（先端）は前記ハウジング１０を仕切る横壁１０Ｄの端部に穿設された案内孔（図示せず）に導かれ充電プラグ８５を介して前記電池に接続される。また、前記リード線７０Ｂは、一端は前記プリント基板７２に接続され、他端（先端）は前記照度調整用ボリューム部７８に接続される。【００３３】前記プリント基板７２は、外形形状が円形に形成され、中央にセンターシャフト２２が挿通する挿通孔が形成されている。【００３４】前記プリント基板７２は、２個のコンデンサ７５Ａ，７５Ｂと、駆動ＩＣ（ＦＥＴ）７６と、可変抵抗器７７を備えている。該可変抵抗器７７により前記駆動ＩＣ（ＦＥＴ）７６にかかる電圧を調整し前記ＬＥＤ光源７４の光量（明るさ）を調節する。すなわち、前記照度調整用ボリューム部７８を回す摘み（作動させるノブナット）７９を操作して前記駆動ＩＣ（ＦＥＴ）７６にかかる電圧を調整し、前記ＬＥＤ光源７４の光量の調整が可能である。前記コンデンサ７５Ａ，７５Ｂはノイズを吸収する。【００３５】前記ＬＥＤ光源より供給される光を前記光拡散板を透過（通過）させて得られる拡散光は、ビット２５近傍の板金面に照射される。前記拡散光は、前記ビット近傍の限定小領域において、板金用引出し具のセンターシャフト２２と前記ビット２５による陰影を生じさせない拡散光として供給される。【００３６】前記光拡散板９０は、半透明の樹脂部材により形成され、中央に前記センターシャフト２２が挿通する挿通孔が形成されている。【００３７】前記プリント基板７２と前記光拡散板９０には対応する同位置にねじ挿通孔が形成され、前記プリント基板と前記光拡散板は離隔対応した状態でねじ挿通孔に挿通した止めねじ９４により前記ハウジングに止め着けられる。【００３８】  ［ハウジング１０］
図１乃至図８において、前記ハウジング１０は、板金面を照光する前記照光ユニット７０を収容している。前記ハウジング１０は、前記ハウジングを仕切る前記縦壁１０Ｃと横壁（底壁）１０Ｄから形成される隔壁（１０Ｃ、１０Ｄ）を備えている。この隔壁により、前記ハウジングは、空所１０Ａと電源収容部１７に仕切られる。【００３９】前記ハウジング１０には、通電部本体１０１及びばね２４を収める得る前記空所１０Ａと、前記センターシャフト２２が挿通する第１の挿通孔１１と、前記ハウジングを支持する支持用ねじ６９が挿通する第２の挿通孔１２と、前記充電プラグ８５の一端を露出させる第１の貫通孔１３と、前記第２の操作手段３０を構成するセコンドレバー５０を支持する支持軸５８が挿通する第３の挿通孔１４と、前記照度調整ボリューム部７８の一端を露出させる第２の貫通孔１５と、前記第２の操作手段３０に形成された腕杆４３Ａ，４３Ｂの肩部を収める欠所１６と、前記電池８０を収容する電源収容部１７と、前記光拡散板９０を収める下向き段部１９が形成されている。【００４０】前記腕杆４３Ａ，４３Ｂと、前記通電部本体１０１とは一体的に形成され、前記腕杆は脚体１３０に支承される。前記通電部本体を前記ハウジングの前記空所に収めた状態で、前記ハウジングに形成された前記第２の挿通孔に挿通した前記支持用ねじの先端が前記通電部本体に形成されたねじ孔１０４に螺合し、この状態で、前記支持用ねじの他端は前記第２の挿通孔内に留まり、前記ハウジングは前記通電部本体に支持される。【００４１】かくして、前記ハウジング１０は、前記脚体１３０に支承された前記第２の操作手段３０に支持されている。【００４２】前記電源収容部１７には前記電池（光源用電源）の挿脱を可能とする開口部１７Ａが形成される。該開口部は、カバーメンバ１８を止めねじ１８Ａによって止め着け塞がれる。【００４３】符号５９はＥリングであり、前記セカンドレバー５０が枢支された状態で前記支持軸５８を支持する軸承部５４において前記支持軸５８を止め着け、前記支持軸の抜けを阻止する（図１、図２、図４、図６、図８参照）。【００４４】前記充電プラグ８５は、前記電池８０が消耗したときに充電するための充電器のコードを差し込む充電プラグである。【００４５】［通電機構１００］
また、板金用引出し具１には通電機構１００が組み込まれている。【００４６】図８、図１８乃至図２０において、前記通電機構１００は、前記センターシャフト２２の先端部に配設され板金面に溶着可能な前記ビット２５に通電する通電機構として形成される。【００４７】前記通電機構１００は、導通部材により形成された前記通電部本体１０１を備え、前記通電部本体は、前記センターシャフト２２を挿通する第１の貫通孔１０２が中央に縦孔として形成されている。さらに、前記第１の貫通孔の形成方向と直交する方向に前記第１の貫通孔に連通する左右各一対の第２の貫通孔１０３Ａ，１０３Ｂが横孔として形成されている。【００４８】前記第２の貫通孔１０３Ａ，１０３Ｂには通電子１０５が配設されている。前記通電部本体１０１の下部には、ばね２４の上端部を収容保持する凹所１０１Ａが形成されている。符号１０４は前記第２の貫通孔１０３の下部に形成したねじ孔である。前記支持用ねじ６９は、前記通電部本体１０１を前記ハウジング１０内で支持する。前記ねじ孔１０４は、前記通電部本体１０１を前記ハウジングの空所１０Ａに収めた状態で、前記ハウジング１０に形成された前記挿通孔１２に挿通した前記支持用ねじ６９（の先端）が螺合する。この状態では、前記支持用ねじ６９の他端は、前記挿通孔１２内に留まり、前記ハウジングは前記通電部本体を支持している。【００４９】前記通電子１０５は、前記センターシャフト２２に当接する通電チップ１０６と、該通電チップを前記センターシャフト方向に付勢するコイルばね１０７を含んで構成され、前記通電チップを介して前記センターシャフトに電流を供給し前記ビットに通電する（図６、図２０参照）。【００５０】前記通電チップ１０６は、円柱部材を斜めに切断して切断面が楕円に形成された先端面を有し、前記通電部本体内において、前記通電チップ１０６の先端面と前記センターシャフト２２が線接触にて当接している（図２０参照）。【００５１】前記第２の貫通孔１０３は、前記のとおり、前記通電部本体の左右方向に各２箇所当て横孔として形成され（図８、図１８、図１９参照）、前記センターシャフト２２を前記第１の貫通孔１０２に挿通した状態で各横孔に上記通電子１０５を配設し、上記センターシャフトを介して対向する上記通電チップ１０６が前記センターシャフト２２に均一な押圧力で当接している。【００５２】前記通電チップとコイルばねとの間には絶縁体により形成されたスペーサ１０８が介在し前記通電チップ１０６と該コイルばね１０７とは非導通状態に置かれる。かくして、前記コイルばね１０７に電流は流れず、コイルばね１０７は電流により焼損することが回避される（前記通電チップ１０６を介して前記コイルばね１０９には電気は流れない）。【００５３】前記第２の貫通孔１０３に前記通電子１０５を挿入し、前記通電チップが前記センターシャフトに当接した状態で前記第２の貫通孔の開口部にねじ１０９を螺合し該開口部を閉鎖している。【００５４】［照光ユニット７０を組み込んだ板金用引出し具１］
図１乃至図７に、上記照光ユニット７０を組み込んだ板金用引出し具１を示す。この板金用引出し具１では、前記照光ユニット７０を板金用引出し具１の中央に配置されるハウジング１０に組み込んでいる。【００５５】この板金用引出し具１は、前記センターシャフト２２と、前記センターシャフトの先端部に配設し板金面に溶着可能な前記ビット２５を備えた第１の操作手段２０と、手動操作が可能で、前記第１の操作手段２０の引き上げるために形成された前記第２の操作手段３０と、前記第１の操作手段２０を支持するために形成された支持部材６０と、前記第２の操作手段３０を支承するために形成された前記脚体１３０と、前記ハウジング１０と、前記照光ユニット７０と、前記ビット２５に通電する前記通電機構１００と、前記通電機構１００に電気を供給するための電源コード３とを備えている。前記第１の操作手段２０は、前記センターシャフト２２と、前記センターシャフト２２の一端に設けたセンターシャフト回動用のハンドル２１を具備している。【００５６】前記板金用引出し具１は、上記のとおり、板金面を照光する前記照光ユニット７０を収容する前記ハウジング１０を備えている。【００５７】前記照光ユニット７０は、前記ハウジング１０に内蔵された前記ＬＥＤ光源７４と、該ＬＥＤ光源に電力を供給する前記電池８０と、前記ＬＥＤ光源より供給される光を拡散する前記光拡散板９０を備えている。前記ＬＥＤ光源は前記プリント基板７２に固定されている。前記ハウジングおいて、前記プリント基板と前記光拡散板は離隔対応して配設される。【００５８】前記光源より供給される光を前記光拡散板を透過させて得られる拡散光は前記ビット近傍の板金面に照射可能とし、前記拡散光を前記ビット近傍の限定小領域において前記センターシャフトと前記ビットによる陰影が生じない拡散光として供給する。【００５９】前記第１の操作手段２０は、真鍮製の前記センターシャフト２２と、前記センターシャフト２２の一端に設けたセンターシャフト回動用の前記ハンドル２１を具備し、前記センターシャフト２２の先端部に前記ビット２５が配設されている。【００６０】すなわち、前記第１の操作手段２０を構成する前記センターシャフト２２の一端部２２Ａは、前記ハンドル２１に連設して形成した接続部２１Ｂのねじ穴に螺着し、一方前記センターシャフト２２の先端部２２Ｂに形成された雌ねじ部が前記ビット２５の基端部に設けた雄ねじ部に螺合する（図６参照）。【００６１】このセンターシャフト２２の略中央から基端部にかけてねじ部２３が刻設され、このねじ部２３が前記第２の操作手段３０の前記支持部材６０に螺合し、前記第１の操作手段２０は前記第２の操作手段３０に回動自在に支持される。【００６２】前記センターシャフト２２には、ばね２４が巻装している。ここでは、前記ばね２４は、ばね上端部が前記通電部本体１０１の前記凹所１０１Ａに、ばね下端部が支持部材６０の頂面に位置し、前記センターシャフト２２を巻装される。このばね２４は前記セカンドレバー５０を下方向に付勢し、ばねの弾発力に抗しながら前記セカンドレバー５０の引き上げを行ない板金作業を実行する。【００６３】前記第２の操作手段３０は、メインレバー４０と、セカンドレバー５０と、メインレバー４０とセカンドレバー５０との間に介在させた前記ばね２４を含んで構成してある。【００６４】前記メインレバー４０は、絶縁部材を被覆して形成した取手部４１と、この取手部４１の配設方向と直交する方向に延出し前記脚体１３０によって支承される左右一対の前記腕杆４３Ａ，４３Ｂを備えている。前記メインレバー４０の後端に電源コード（ターミナルコード）３の一端が固定され、電源コードの他端は溶接機５に接続される。【００６５】板金面修正作業時の電流の流れを図６に示す。通電時においては、溶接機５→電源コード３→メインレバー４０→通電部本体１０１→通電チップ１０６→センターシャフト２２→ビット２５に電流が流れ通電される。【００６６】前記セカンドレバー５０は、前記取手部４１と同様に、絶縁部材を被覆して形成した取手部５１と、この取手部５１の先端部側に形成したくり抜き部５２と、前記セカンドレバー５０を枢支する前記支持軸５８を支持する軸承部５４を備えている。【００６７】前記セカンドレバー５０は、前記第１の操作手段２０を支持する前記支持部材６０を備えている。この支持部材６０には、中央貫通孔（貫通部）６２が形成され、該中央貫通孔６２には雌ねじ部が形成され、該雌ねじ部には前記センターシャフト２２の前記雄ねじ部２３が螺合する。【００６８】前記支持部材６０は、前記くりぬき部５２内に収容され、前記支持部材６０の両端部は前記くりぬき部５２の両側のフレーム５３に支持される。しかして、前記支持部材６０の前記貫通孔（貫通部）６２の雌ねじ部と前記センターシャフト２２の雄ねじ部２３が螺合し、前記第１の操作手段２０は前記第２の操作手段３０に回動自在に支持される。【００６９】前記メインレバー４０と、前記腕杆４３Ａ，４３Ｂと、前記通電部本体１０１とは一体に形成されている。（図８参照）。【００７０】かくして、前記板金用引出し具は、前記センターシャフトと、該センターシャフトの先端部に配設し板金面に溶着可能なビットを備えた第１の操作手段と、該第１の操作手段を支持するために形成された支持部材と、前記第１の操作手段の引き上げるために形成された第２の操作手段と、該第２の操作手段を支承するために形成された脚体と、通電機構に電気を供給するための電源コードと、前記ビットに通電する前記通電機構を備え、前記第１の操作手段は、前記センターシャフトと、前記センターシャフトの一端に設けたセンターシャフト回動用のハンドルを具備している。【００７１】さらに、板金用引出し具は、板金面を照光する照光ユニットを収容するハウジングを備え、前記照光ユニットは、前記ハウジングに内蔵された光源と、該光源に電力を供給する光源用電源と、前記光源より供給される光を拡散する光拡散板を備え、前記プリント基板と前記光拡散板を離隔対応して前記ハウジングに配設し、前記光源より供給される光を前記光拡散板を透過させて得られる拡散光とし、該拡散光を前記ビット近傍の板金面に照射可能とし、前記拡散光を前記ビット近傍の限定小領域において前記センターシャフトと前記ビットによる陰影が生じない拡散光として供給する。【００７２】符号２１Ｃは前記ハンドル２１と前記シャフト２２の緩みを止めるロックナット、６５は板金面の凹凸を引き上げる際に引き上げ代を調整する引き代調整ボルト、６７は作業者が操作手段を手で握る際に握リ巾を、前記セカンドレバー５０を持ちやすい位置まで調整することを可能とする握リ巾調整ボルトである。１３５は蝶ナットであり、前記腕杆４３Ａ，４３Ｂを前記脚体１３０の受部に挿入し前記腕杆と前記脚体を連結固定するために用いる。
【符号の説明】
【００７３】    １      板金用引出し具
３      電源コード
５      溶接機
１０      ハウジング
１１      第１の挿通孔
１２      第２の挿通孔
１３      第１の貫通孔
１４      第３の挿通孔
１５      第２の貫通孔
１６      欠所
１７      電源収容部
１８      カバーメンバ
１９      光拡散板収容段部
２０      第１の操作手段
２１      ハンドル
２２      センターシャフト
２３      ねじ部
２４      ばね
２５      ビット
３０      第２の操作手段
４０      メインレバー
５０      セカンドレバー
５２      くりぬき部
５３      フレーム
５４      軸承部
５８      支持軸
５９      Ｅリング
６０      支持部材
６２      貫通孔
６５      引き代調整ボルト
６７      握リ巾調整ボルト
６９      支持用ねじ
７０      照光ユニット
７１      照光部本体
７２      プリント基板
７３      貫通孔
７４      ＬＥＤ光源
７５      チップコンデンサ
７６      駆動ＩＣ
７７      可変抵抗器
７８      照度調整用ボリューム部
７９      つまみ
８０      電池
８５      充電プラグ
９０      光拡散板
９３      貫通孔
９４      止めねじ
９６      止めねじ
１００      通電機構
１０１      通電部本体
１０１Ａ    凹所
１０２      第１の貫通孔
１０３      第２の貫通孔
１０４      ねじ孔
１０５      通電子
１０６      通電チップ
１０７      ばね
１０８      スペーサ
１０９      ねじ
１３０      脚体